(57)【要約】【課題】コネクタの逆接続を検知すること。【解決手段】複数の第１の接続部を有し、いずれか１つの第１の接続部と少なくとも１つの他の第１の接続部とが結線され、第１の接続部群が形成される第１のコネクタ１０と、第１のコネクタ１０の各第１の接続部にそれぞれ対応する第２の接続部を有する第２のコネクタ２０とを備え、第１のコネクタ１０と第２のコネクタ２０とが逆接続され、かつ、結線に電力が供給された場合に、第１の接続部群を介して、第２の接続部群を構成しない他の第２の接続部に電力が供給されるコネクタ装置１であって、第２の接続部群の接続部及び第２の接続部群を構成しない第２の接続部のグランドとの接続切替を制御する制御部と、制御部からのスイッチング素子Ｑａ、Ｑｂ´の切り替えによって得られる電圧の結果に基づいて、第１のコネクタ１０及び第２のコネクタ２０の逆接続を検知する逆接続検知部３とを具備するコネクタ装置１を提供する。【選択図】図１
2010055934.tif 000002
【特許請求の範囲】
【請求項１】
複数の第１の接続部を有し、いずれか１つの第１の接続部と少なくとも１つの他の第１の接続部とが結線されることで第１の接続部群が形成される第１のコネクタと、
第１のコネクタの各前記第１の接続部にそれぞれ対応する第２の接続部を有する第２のコネクタとを備え、
該第１のコネクタと該第２のコネクタとが正常に接続され、かつ、該結線に電力が供給された場合に、該第１の接続部群を構成する第１の接続部に対応する第２の接続部で構成される第２の接続部群に該電力が供給され、また、第１のコネクタと第２のコネクタとが逆接続され、かつ、該結線に電力が供給された場合に、該第１の接続部群を介して、前記第２の接続部群を構成しない他の第２の接続部に電力が供給されるコネクタ装置であって、
前記第２の接続部群を構成する前記第２の接続部のうち、少なくとも１つの第２の接続部とグランドとの接続を切り替える第１の切替手段と、
前記第１のコネクタと前記第２のコネクタとが接続され、かつ、該結線に電力が供給されている状態において、該第１の切替手段を作動させ、該第２の接続部とグランドとを接続する第１の制御手段と、
前記第２の接続部群を構成しない第２の接続部のうち、少なくとも１つの第２の接続部とグランドとの接続を切り替える第２の切替手段と、
前記第１のコネクタと前記第２のコネクタとが接続され、かつ、該結線に電力が供給されている状態において、該第２の切替手段を作動させ、該第２の接続部とグランドとを周期的に接続及び開放する第２の制御手段と、
前記第２の接続部からの出力に基づいて、第１のコネクタ及び第２のコネクタの逆接続を検知する逆接続検知手段と
を具備するコネクタ装置。
【請求項２】
複数の第１の接続部を有し、いずれか１つの第１の接続部と少なくとも１つの他の第１の接続部とが結線されることで第１の接続部群が形成される第１のコネクタと、第１のコネクタの各前記第１の接続部にそれぞれ対応する第２の接続部を有する第２のコネクタとを備え、該第１のコネクタと該第２のコネクタとが正常に接続され、かつ、該結線に電力が供給された場合に、該第１の接続部群を構成する第１の接続部に対応する第２の接続部で構成される第２の接続部群に該電力が供給され、また、第１のコネクタと第２のコネクタとが逆接続され、かつ、該結線に電力が供給された場合に、該第１の接続部群を介して、前記第２の接続部群を構成しない他の第２の接続部に電力が供給されるコネクタ装置に適用されるコネクタの逆接続検知方法であって、
前記第１のコネクタと前記第２のコネクタとが接続され、かつ、該結線に電力が供給されている状態において、第２の接続部群を構成する前記第２の接続部のうち、少なくとも１つの第２の接続部をグランドと接続させ、かつ、前記第２の接続部群を構成しない第２の接続部のうち、少なくとも１つの第２の接続部とグランドとを周期的に接続及び開放させて、このときの出力に応じて第１のコネクタ及び第２のコネクタの逆接続状態を検知するコネクタの逆接続検知方法。
【発明の詳細な説明】
【技術分野】
【０００１】
本発明は、コネクタの逆接続状態を検知するコネクタ装置及びコネクタ逆接続検知方法である。
【背景技術】
【０００２】
従来、例えば、空気調和機における冷媒流量の調整は、ステッピングモータにより電子膨張弁（以下、ＥＥＶと省略する。ＥＥＶ；Electronic Expansion Value）を駆動させることにより行っている。仮に、ＥＥＶが動作不良に陥った場合は、空気調和機は不冷不暖となり、顧客からのクレームとなる可能性が高い。そのため、ＥＥＶの動作不良を把握するために、空気調和機のＥＥＶ配線接続部には、腐食等による断線を検知する装置を設けており、これによりＥＥＶの配線の異常を検知している。例えば、特開平８−９６８９４号公報には、電気回路のコネクタの抜けを検知する技術について開示されている。
【特許文献１】特開平８−９６８９４号公報
【発明の開示】
【発明が解決しようとする課題】
【０００３】
しかしながら、上記特許文献１の電気回路のコネクタ抜け検知装置では、量産ユニットにおいてＥＥＶの基板側のコネクタを、基板に対し正規の向きと逆向きに付けてしまう誤実装が発生した場合に、この逆付け状態を異常として検知できないという問題があった。
【０００４】
本発明は、上記問題を解決するためになされたもので、コネクタの逆接続を検知できるコネクタ装置及びコネクタの逆接続検知方法を提供することを目的とする。
【課題を解決するための手段】
【０００５】
上記課題を解決するために、本発明は以下の手段を採用する。
本発明は、複数の第１の接続部を有し、いずれか１つの第１の接続部と少なくとも１つの他の第１の接続部とが結線されることで第１の接続部群が形成される第１のコネクタと、第１のコネクタの各前記第１の接続部にそれぞれ対応する第２の接続部を有する第２のコネクタとを備え、該第１のコネクタと該第２のコネクタとが正常に接続され、かつ、該結線に電力が供給された場合に、該第１の接続部群を構成する第１の接続部に対応する第２の接続部で構成される第２の接続部群に該電力が供給され、また、第１のコネクタと第２のコネクタとが逆接続され、かつ、該結線に電力が供給された場合に、該第１の接続部群を介して、前記第２の接続部群を構成しない他の第２の接続部に電力が供給されるコネクタ装置であって、前記第２の接続部群を構成する前記第２の接続部のうち、少なくとも１つの第２の接続部とグランドとの接続を切り替える第１の切替手段と、前記第１のコネクタと前記第２のコネクタとが接続され、かつ、該結線に電力が供給されている状態において、該第１の切替手段を作動させ、該第２の接続部とグランドとを接続する第１の制御手段と、前記第２の接続部群を構成しない第２の接続部のうち、少なくとも１つの第２の接続部とグランドとの接続を切り替える第２の切替手段と、前記第１のコネクタと前記第２のコネクタとが接続され、かつ、該結線に電力が供給されている状態において、該第２の切替手段を作動させ、該第２の接続部とグランドとを周期的に接続及び開放する第２の制御手段と、前記第２の接続部からの出力に基づいて、第１のコネクタ及び第２のコネクタの逆接続を検知する逆接続検知手段とを具備するコネクタ装置を提供する。
【０００６】
このような構成によれば、第１のコネクタで結線がされている接続部と対応する第２のコネクタの接続部をそれぞれ接続し、第２の接続部に接続されている制御手段を制御することによって、第１の接続部を介して第２の接続部に供給する電力を制御する。第１のコネクタと第２のコネクタとが、正しく接続されている場合には、第２のコネクタの接続部群と第１のコネクタの接続部群の結線とが合致するため、第２のコネクタ上の接続部群の制御は、第２のコネクタの接続部群以外の第２の接続部には影響を与えない。これにより、第２の接続部群の１つの第１の切替手段をグランドに接続した場合であっても、第２の接続部群を構成しない第２の接続部は、第１の切替手段による切り替えによらず、第２の切替手段を制御した結果の出力を得ることができる。このように、逆接続検知手段は、第２の接続部からの出力に基づいて、第１のコネクタ及び第２のコネクタの逆接続を検知することができる。また、第２の接続部から得られる出力とは、例えば電圧のパルスであり、このパルスを逆接続検知手段に入力することにより、コネクタの接続が逆接続か否かを判定する。
【０００７】
本発明は、複数の第１の接続部を有し、いずれか１つの第１の接続部と少なくとも１つの他の第１の接続部とが結線されることで第１の接続部群が形成される第１のコネクタと、第１のコネクタの各前記第１の接続部にそれぞれ対応する第２の接続部を有する第２のコネクタとを備え、該第１のコネクタと該第２のコネクタとが正常に接続され、かつ、該結線に電力が供給された場合に、該第１の接続部群を構成する第１の接続部に対応する第２の接続部で構成される第２の接続部群に該電力が供給され、また、第１のコネクタと第２のコネクタとが逆接続され、かつ、該結線に電力が供給された場合に、該第１の接続部群を介して、前記第２の接続部群を構成しない他の第２の接続部に電力が供給されるコネクタ装置に適用されるコネクタの逆接続検知方法であって、前記第１のコネクタと前記第２のコネクタとが接続され、かつ、該結線に電力が供給されている状態において、第２の接続部群を構成する前記第２の接続部のうち、少なくとも１つの第２の接続部をグランドと接続させ、かつ、前記第２の接続部群を構成しない第２の接続部のうち、少なくとも１つの第２の接続部とグランドとを周期的に接続及び開放させて、このときの出力に応じて第１のコネクタ及び第２のコネクタの逆接続状態を検知するコネクタの逆接続検知方法を提供する。
【発明の効果】
【０００８】
本発明によれば、コネクタの逆接続状態を検知することができるという効果を奏する。
【発明を実施するための最良の形態】
【０００９】
以下に、本発明に係るコネクタ装置を空気調和機のＥＥＶのステッピングモータの駆動制御用コネクタに適用する場合の一実施形態について、図面を参照して説明する。
【００１０】
〔第１の実施形態〕
図１は、本実施形態に係るコネクタ装置１の概略構成を示した図である。
コネクタ装置１は、第１のコネクタ１０、第２のコネクタ２０、切替部（切替手段）２、逆接続検知部（逆接続検知手段）３、ＣＰＵ６、電力供給部７、を備えている。第１のコネクタ１０側にはＥＥＶステッピングモータが接続されている。また、第２のコネクタ２０側には、切替部２、ＣＰＵ６、電力供給部７等が設けられた基板が接続されている。
第１のコネクタ１０が第２のコネクタ２０に正常に接続されることにより、第２のコネクタ２０側に設けられた電力供給部７から第１のコネクタ１０を介してＥＥＶステッピングモータに電力が供給され、ＥＥＶステッピングモータは駆動可能な状態とされる。
【００１１】
第１のコネクタ１０は複数の第１の接続部を有し、いずれか１つの第１の接続部と少なくとも１つの他の第１の接続部とが結線され、第１の接続部群が形成されている。
第２のコネクタ２０は、第１のコネクタ１０の各第１の接続部にそれぞれ対応する第２の接続部を備えており、第１の接続部群に対応する接続部群を第２の接続部群とする。
【００１２】
具体的には、第１のコネクタ１０及び第２のコネクタ２０は、対となる６個の接続部をそれぞれ備えている。この６つの接続部のうち、２つは電力供給用の接続部として用いられ、４つの接続部は、ステッピングモータの駆動用に使用されるとともに、後述するコネクタの逆接続検知用に用いられる。
第１のコネクタ１０において、電力供給以外に用いられる４つの端子は、１つおきに互いに結線されている。具体的には、接続部ＡとＡ´とが接続され、接続部ＢとＢ´とが接続されることで、２つの接続部群が形成されている。接続部ＡとＡ´とからなる接続部群は、電力供給用の接続部Ｄに接続されており、接続部ＢとＢ´とからなる接続部群は、電力供給用の接続部Ｃに接続されている。また、第２のコネクタ２０において、第１のコネクタ１０の各接続部に対応する接続部（以下「第２の接続部」という。）には、それぞれ第１の接続部と同じ符号が付されている。つまり、第１の接続部Ａ、Ｂ、Ａ´、Ｂ´、Ｃ、Ｄと対応する第２の接続部は、それぞれ第２の接続部Ａ、Ｂ、Ａ´、Ｂ´、Ｃ、Ｄである。
【００１３】
第１のコネクタ１０と第２のコネクタ２０とが正常に接続され、かつ、第１のコネクタの結線に電力が供給された場合に、第１の接続部群を構成する第１の接続部Ａ、Ａ´（Ｂ、Ｂ´）に対応する第２の接続部で構成される第２の接続部群Ａ、Ａ´（Ｂ、Ｂ´）に電力が供給されるようになっている。
また、第１のコネクタ１０と第２のコネクタ２０とが逆接続され、かつ、結線に電力が供給された場合に、該第１の接続部群Ａ、Ａ´（Ｂ、Ｂ´）を介して、前記第２の接続部群を構成しない他の第２の接続部Ｂ、Ｂ´（Ａ、Ａ´）に電力が供給されるようになっている。
【００１４】
ステッピングモータ５は、１−２相励磁方式の４相ステッピングモータであり、４個のコイルφ１〜４を備えている。ステッピングモータ５の第１のコネクタには接続部が６個備えられており、この６個の接続部のうち、接続部Ａ、Ｂ、Ａ´、Ｂ´には、それぞれコイルφ１〜４が接続されている。
【００１５】
切替部２は、第２の接続部Ａ、Ａ´、Ｂ、Ｂ´にそれぞれ対応する複数のスイッチング素子Ｑａ、Ｑａ´、Ｑｂ、Ｑｂ´を備える。各スイッチング素子Ｑａ、Ｑａ´、Ｑｂ、Ｑｂ´は、グランドと接続可能とされており、オン状態とされることで対応する第２の接続部とグランドとを接続し、オフ状態とされることで、第２の接続部を開放状態とする。
また、それぞれのスイッチング素子Ｑａ、Ｑａ´、Ｑｂ、Ｑｂ´と、第２のコネクタにおける各接続部Ａ、Ｂ、Ａ´、Ｂ´とが接続されている電線上の電圧はそれぞれＶａ、Ｖａ´、Ｖｂ、Ｖｂ´として示す。
【００１６】
電力供給部７は、例えば、αボルトの電源である。
【００１７】
逆接続検知部（逆接続検知手段）３は、第２の接続部の出力に基づいて、第１のコネクタ１０及び第２のコネクタ２０の逆接続を検知する。例えば、逆接続検知部３には、公知のステッピングモータの電線の断線を検知する断線検知回路が用いられる。切替部２の切り替えに基づいて、第１のコネクタ１０を介して第２の接続部の電圧を制御し、この時に得られる電圧のパルスを監視し、このパルスに基づいて逆接続検知部３からＣＰＵのポートＰ５に出力される電圧に、パルスが検出されれば、第１のコネクタ１０及び第２のコネクタ２０の接続が正常であると判断し、一方、パルスが検出されない場合には、第１のコネクタ１０及び第２のコネクタ２０の接続が逆接続であると判断する。
【００１８】
具体的には、逆接続検知部３において、第２のコネクタ２０の接続部Ａとスイッチング素子Ｑａとの電圧Ｖａが入力される電線は、直列に接続されたコンデンサＣ１とダイオードＤ１が接続されている。また、コンデンサＣ１の出力側には並列に抵抗Ｒ１が接続されており、Ｒ１の出力側はグランドに接続されている。ダイオードＤ１の出力側は、抵抗Ｒ５が接続されている。同様に、第２のコネクタ２０の接続部Ｂ´とスイッチング素子Ｑｂ´との電圧Ｖｂ´が入力される電線には、直列に接続されたコンデンサＣ４とダイオードＤ４が接続されている。また、コンデンサＣ４の出力側には並列に抵抗Ｒ４が接続されており、Ｒ４の出力側はグランドに接続されている。抵抗Ｒ５の入力側において、ダイオードＤ４の出力側と上述のダイオードＤ１の出力側とが並列に接続されている。
【００１９】
抵抗Ｒ５の出力側は、トランジスタＱ１のベース部と接続されるとともに、トランジスタＱ１のエミッタ側との間に抵抗Ｒ６が接続され、グランドに接続されている。また、トランジスタＱ１のコレクタ側は、βボルトの電圧がかけられており、抵抗Ｒ７を介してトランジスタＱ１と接続されている。トランジスタＱ１のコレクタ側は、ＣＰＵ６のポートＰ５と接続され、このポートＰ５にて、トランジスタＱ１のコレクタ側の電圧が検知される。
【００２０】
図１は、第１のコネクタ１０及び第２のコネクタ２０を正しい向きで接続した場合の図である。図２は、コネクタを図１で示すように接続し、第１のコネクタ１０及び第２のコネクタ２０の接続状態を見るために、第１のスイッチング素子Ｑａ及び第２のスイッチング素子Ｑｂ´を切り替えた場合の、各部における電圧変化を示した図である。
【００２１】
図２（ａ）は、第１のスイッチング素子Ｑａをオフからオンに変化させたことを示しており、図２（ｂ）は、スイッチング素子Ｑａがオフからオンに変化すると、電圧Ｖａがグランドに接続されることとなるため、Ｖａは０ボルトとなっている。図２（ｃ）は、第２のスイッチング素子Ｑｂ´をオフとオンの状態を繰り返した場合を示しており、Ｖｂ´は第１の結線に対応している回路から電力が供給されていることから、電圧Ｖｂ´の波形は図２（ｄ）に示すように、スイッチング素子Ｑｂ´がオフからオン状態になるとグランドに接続され、電圧Ｖｂ´はαボルトから０ボルトとなる。スイッチング素子Ｑｂ´がオンからオフ状態になると、グランド接続から開放され、電圧Ｖｂ´は０ボルトからαボルトに変化する。このように、第２の接続部群と第２の接続部群を構成しない第２の接続部とは接続されていないため、スイッチング素子Ｑａの制御に関わらずスイッチング素子Ｑｂ´の制御に応じて、Ｖｂ´の電圧が変化する。また、本実施形態においては、ＣＰＵ６のポートＰ２及びＰ３から制御信号は送信せず、スイッチング素子Ｑａ´及びＱｂはオフ状態としておく。
【００２２】
続いて、図２（ｄ）のようにαボルトと０ボルトとを描くパルスの通りに、Ｖｂ´の電圧がかけられると、コンデンサＣ４の出力側の電圧Ｖｂ２´には、図２（ｅ）に示すように微分パルス波形が発生する。さらに、この電圧Ｖｂ２´は、ダイオードＤ４を介すと正の成分だけが検出されることとなるため、電圧Ｖｂ２´は、図２（ｆ）のようになる。トランジスタＱ１のベース側に、図２（ｆ）に示す正の電圧のパルスが入力されると、ＣＰＵ６のポートＰ５には、図２（ｇ）に示すような電圧のパルスが検出される。
【００２３】
このように、第１のコネクタ１０と第２のコネクタ２０とが正しく接続されている場合には、第２の接続部群の電圧を０ボルトとした場合であっても、第２の接続部群を構成しない第２の接続部の電圧を変化させることが可能であり、この電圧のパルスを逆接続検知部３に入力すると、ＣＰＵ６のポートＰ５には、電圧のパルスが現れる。
【００２４】
図３は、第１のコネクタ及び第２のコネクタを正しい向きと逆向きで接続した場合の図である。図４は、コネクタを図３で示すように接続し、第１のスイッチング素子Ｑａ及び第２のスイッチング素子Ｑｂ´を切り替えた場合の電圧変化を示した図である。
【００２５】
図３に示すように、第１のコネクタ１０と第２のコネクタ２０とが逆接続され、かつ、結線に電力が供給された場合に、第１の接続部群を介して、第２の接続部群を構成しない他の第２の接続部に電力が供給されている。
【００２６】
図４（ａ）は、第１のスイッチング素子Ｑａをオフからオンに変化させたことを示しており、図４（ｂ）に示すように、電圧Ｖａは、スイッチング素子Ｑａがオフからオンに変化すると、グランドに接続されることとなり、電圧Ｖａは０ボルトとなっている。
図４（ｃ）は、第２のスイッチング素子Ｑｂ´をオフとオンの状態を繰り返した場合を示しており、このときの電圧Ｖｂ´を図４（ｄ）で示す。ここで、図３では第１の接続部群は第２の接続部群を構成しない第２の接続部と接続されており、第２のコネクタの接続部Ｂ´は、第１のコネクタのＡ´と接続され、第１のコネクタの接続部Ａ´の電力供給用であった第１のコネクタの接続部Ｄとも接続されている。図３において第１のコネクタの接続部Ｄは、第２のコネクタの接続部Ａと接続されているため、電圧Ｖａと電圧Ｖｂ´は等しくなる。このように、図３に示すような逆接続をした場合には、図４（ｄ）に示すようにスイッチング素子Ｑｂ´のオン・オフ接続によらず、スイッチング素子Ｑａをオン状態にすると電圧Ｖｂ´は、０ボルトとなる。
【００２７】
続いて、Ｖｂ´が上述のように０ボルトであるため、図４（ｅ）に示すように、逆接続検知部３におけるコンデンサの出力での電圧も０ボルトのままとなり、図４（ｆ）の電圧も０ボルトとなる。その結果、逆接続検知部３のトランジスタＱ１のコレクタ側の電圧であるＣＰＵポートＰ５に入力される電圧は、図４（ｇ）に示すようにβボルトのままで、電圧のパルスは検出されない。
【００２８】
このように、第１のコネクタ１０と第２のコネクタ２０とが逆接続されている場合には、第２の接続部群と、第２の接続部群を構成しない第２の接続部が接続されてしまい、第２の接続部群の電圧を０ボルトとした場合に、第２の接続部群を構成しない第２の接続部の電圧も０ボルトとなってしまい、結果として、ＣＰＵ６のポートＰ５には電圧のパルスが現れない。
【００２９】
図３を用いて、本実施形態の作用について説明する。
第１のコネクタ１０と第２のコネクタ２０とが逆接続されると、第２のコネクタ２０に接続されているαボルトの電圧は、第１のコネクタを介して、第１の接続部群である第１の接続部Ａにαボルトの電圧が供給されるとともに、第１の接続部群に結線されている第１の接続部群の他の接続部にも同様にαボルトの電圧が供給される。そうすると、第１のコネクタ１０を介して、第２のコネクタに接続されている第２の接続部Ｂ´及び第２のコネクタ２０の接続部Ａにαボルトの電圧が供給される。
【００３０】
次に、ＣＰＵ６の第１の制御部による制御信号がポートＰ４から出力され、第１のスイッチング素子Ｑａがオフからオンに切り替えられ、第２の接続部群である第２の接続部Ａがグランドに接続され、第２の接続部Ａと第１のスイッチング素子Ｑａ間の電圧Ｖａは０ボルトとされる。一方、ＣＰＵ６の第２の制御部による制御信号がポートＰ１から出力され、第２のスイッチング素子Ｑｂ´がオフからオン及びオンからオフにと周期的な切り替えが行われる。
【００３１】
第２のスイッチング素子Ｑｂ´がオフからオンになった場合、第２の接続部Ｂ´はグランドと接続されるため、Ｖｂ´の電圧は０ボルトとされる。また、第２のスイッチング素子Ｑｂ´がオンからオフになった場合、グランドとの接続は解放される。このとき、第２の接続部Ｂ´は、第１のコネクタの第１の接続部群である第１の接続部Ａ´と接続されている。第１の接続部Ａ´は、電力供給用であった第１の接続部Ｄと接続されているため、第２のコネクタの第２の接続部Ａとも接続されていることとなる。その結果、Ｖｂ´は、Ｖａの電圧０ボルトと等しくなる。即ち、第１のコネクタと第２のコネクタの接続が逆接続であり、第２の接続部群と、第２の接続部群を構成しない第２の接続部が接続されてしまう場合には、スイッチング素子Ｑｂ´を周期的にオフとオンを繰り返しても、Ｖｂ´はずっと０ボルトのままとなる。
【００３２】
Ｖｂ´の電圧が０ボルトである場合は、逆接続検知部３のコンデンサＣ４の出力側の電圧も変化せず、微分パルスは発生しないため、ダイオードＤ４の出力側の電圧Ｖｄにも、変化がない。この結果、ＣＰＵ６のポートＰ５に入力される電圧は、トランジスタＱ１に入力されているβボルトのまま変化せず電圧のパルスが発生しないことから、第１のコネクタ１０と第２のコネクタ２０の接続は逆接続であると検知される。
【００３３】
以上説明してきたように、第１のコネクタ１０と第２のコネクタ２０とが接続された場合に、電力が供給され、第１のコネクタ１０と第２のコネクタ２０とが正しく接続されている場合には、第２の接続部群にかかる電圧と第２の接続部群を構成しない第２の接続部にかかる電圧は異なるため、第２の接続部群にかかる電圧を０ボルトにしても、ＣＰＵ６のポートＰ５には電圧のパルスが現れる。一方、逆接続をした場合には、第２の接続部群を構成する第２の接続部（例えば、Ａ、Ａ´）にかかる電圧と第２の接続部群を構成しない第２の接続部（例えば、Ｂ、Ｂ´）にかかる電圧が同じとなってしまうため、第２の接続部群の電圧を０ボルトにすると第２の接続部群を構成しない第２の接続部の電圧も０ボルトとなり、結果としてＣＰＵ６は、電圧のパルスを得ることはできない。これにより、第２の接続部群にかかる電圧と第２の接続部群を構成しない第２の接続部の電圧を制御し、逆接続検知部において電圧のパルスが出現するか否かにより、コネクタの接続が正しいか否かを判断することが可能となる。このように、コネクタ装置の逆接続を検知することによって、空気調和機の設計ミスや製造ミスをすみやかに発見できる。また、ステッピングモータの断線検知を行う場合にも使用される断線検知回路を流用するため、工場における検査工程の工数も削減することが可能となる。
【００３４】
なお、本実施形態に係るステッピングモータは、１−２相励磁方式の４相ステッピングモータを使用したが、これに限られない。例えば、２相励磁方式のステッピングモータを用いることとしてもよい。
【００３５】
また、本実施形態においては、第１のコネクタ１０と第２のコネクタ２０の逆接続を検知するために、ＣＰＵ６のポートＰ１及びＰ４から切替部２を制御するための制御信号を出力していたが、これに限られない。第２の接続部群が接続される第２の接続部と、第２の接続部群以外の第２の接続部との切り替えを行えば良いため、例えば、ポートＰ１とＰ２を用いることとしてもよいし、ポートＰ２とＰ３を用いることとしてもよい。
【００３６】
また、本実施形態においては、第１のコネクタが基板に対して正規の向きと逆向きに接続された場合に、これをコネクタの逆付け状態として逆接続検知することとしていたが、これに限られない。例えば、基板に対する第１のコネクタの向きは正常であり、第２のコネクタが差し込まれる向きも正常であるが、第２のコネクタが接続されている内部のステッピングモータの回路が逆向きで接続されている場合に逆接続を検知することとしてもよい。
【００３７】
また、本実施形態においては、このコネクタ逆接続の検知を、工場の検査段階において行うものとしていたが、これに限られない。例えば、基板に第２のコネクタを設置後に、第１のコネクタを接続し、運転チェックモードとして運転開始前の段階において行うこととしてもよい。
【図面の簡単な説明】
【００３８】
【図１】本実施形態に係るコネクタ装置の概略構成を示した図である。
【図２】第１のコネクタ及び第２のコネクタを正規の向きで接続した場合を示した図である。
【図３】本実施形態に係るコネクタ装置の第１のコネクタを正規の向きと逆向きに接続した場合の概略構成を示した図である。
【図４】第１のコネクタ及び第２のコネクタを正規の向きと逆向きで接続した場合を示した図である。
【符号の説明】
【００３９】
１  コネクタ装置
２  切替部
３  逆接続検知部
５  ステッピングモータ
７  電力供給部
１０  第１のコネクタ
２０  第２のコネクタ
Ｑａ、Ｑａ´、Ｑｂ、Ｑｂ´  スイッチング素子  
Ｑ１  トランジスタ
Ｃ１〜Ｃ４  コンデンサ
Ｒ１〜Ｒ７  抵抗
Ｄ１〜Ｄ４  ダイオード
Ｐ１〜Ｐ５  ＣＰＵのポート
【図１】
2010055934.tif 000003
【図２】
2010055934.tif 000004
【図３】
2010055934.tif 000005
【図４】
2010055934.tif 000006